(57)【要約】【課題】  車椅子の利用者の中には補助又は自分の力により体力維持にリハビリを必要としています。車椅子の生活の中で静止しているのが日常化し気力の低下、疲労感脱力感を感じる。【解決手段】  車椅子にリハビリ補助椅子を装着する事により、多少の振動が足腰を動かし脚の血液の流れを良くし長い時間乗っていても軽いリハビリの効果もあり自ら動き出す気力や快適な時間を自然に求めることができる効果も期待以上に得られる。    【選択図】図４
2018143262.tif 000002
【特許請求の範囲】
【請求項１】
一対のひじ掛け部と座面部とからなる車椅子用リハビリ補助椅子であって、前記一対のひじ掛け部は各々、車椅子のひじ掛け部上面と当接するひじ掛け当接面と、該ひじ掛け当接面から直角に立ち下がる下垂面とからなり、前記座面部は背もたれ部を有するとともに、その両端部から座面部に対して直角に立ち上がる一対の袖壁部を備えており、前記一対の下垂面にはその外面側で突出する突起が形成され、前記一対の袖壁部には前記突起が挿入される孔が形成され、前記突起を支点として前記座面部が搖動可能なように支持されることを特徴とする車椅子用リハビリ補助椅子。
【請求項２】
前記袖壁部に前記孔が複数個設けられていることを特徴とする請求項１記載のリハビリ補助椅子。
【発明の詳細な説明】
【技術分野】
【０００１】
本発明は、車椅子に脱着可能な補助椅子の構造に関する。
【背景技術】
【０００２】
一般に使用されている車椅子は歩くことが困難な方の移動やベットでの生活から離床の為の車椅子で、乗り心地等工夫はされているが、座面、足置き板は、移動中体の安定のために固定し使用される事が多い。脚の血行障害等を改善するために、足置き板を足踏みペダル又は電動ペダルにより可動出来る構造の物もあるが、専用の車椅子構造となる。
【０００３】
図６に一般の車椅子を示す。
一般の車椅子の座面、足踏み板は収納時に折りたたみ、使用時は開き固定され身体を安定的に保持出来る様にしてある。一般の車椅子は一時的に利用される方も多いが長時間車椅子での生活の方にとっては固定された座面、足置き板は身体の動きも制限され脚の血行不良、むくみを引き起こしやすい構造である。
【先行技術文献】
【特許文献】
【０００４】
【特許文献１】特開２０１４−６９０５７
【発明の概要】
【発明が解決しようとする課題】
【０００５】
以上のような一般の車椅子は、次のような解決すべき課題があった。
(１)   一般の車椅子は自分で漕いでの使用時は腕の運動はできても下半身は同じ姿勢のままで、足腰の運動不足という問題が生じる。
(２)   一般の車椅子の利用は、介助者に押してもらうか、自分で車輪を回転させて移動する乗り物であり、長時間同じ姿勢で乗っている場合に起こりうる血行障害等苦痛を除く改善策が必要であった。
(３)   一般の車椅子は体力的に衰弱している方や年配で小柄な方、背の曲った方では背もたれが遠く乗り降りの時足置き板から足がずれ落ちる事がある。
【課題を解決するための手段】
【０００６】
本発明は以上の点を解決するために、次のような構成を採用する。
一般の車椅子のひじ掛けに取り付ける一対のひじ掛け部と座面部からなるリハビリ補助椅子である。
【０００７】
前記一対のひじ掛け部の下垂部に設けられた突起と座面部の袖壁部に設けられた孔を備え、孔に挿入された突起を支点として、リハビリ補助椅子が車椅子の移動時に前後に揺動することが出来るとともに、突起を孔から外して車椅子の座面の任意の位置に載置できる構造である。
【０００８】
前記一対のひじ掛け部の下垂部の突起は座面部の袖壁部の孔から脱着可能であり、孔を複数個設けることにより、座面部のみを車椅子の座面上の前後方向に移動配置できることを特徴とする構造である。
【発明の効果】
【０００９】
本発明の車椅子リハビリ補助椅子には次のような効果がある。
（１）車椅子本来の機能を変えることなく自分でセットし移動する度に座面が小さく前後に動く事により身体全体が軽く動き負担が少なくリハビリ効果が期待出来る。
（２）自分の意思と関係なく移動するたび座面が前後するので足腰部分の血流が良くなり車椅子での生活が快適になる。
（３）座面及び背もたれを前方に移動出来るので小柄な人でも固定さ
れた足置き板に届き足がぶらつかないので乗り降りの時も身体は安定し、快適なリハビリ車椅子にできる。
【図面の簡単な説明】
【００１０】
【図１】本発明のリハビリ補助椅子のひじ掛け部の斜視図を示す。
【図２】本発明のリハビリ補助椅子の座面部の斜視図を示す。
【図３】本発明のリハビリ補助椅子の上面図を示す。
【図４】図３の本発明のリハビリ補助椅子のＡ−Ａ断面図を示す。
【図５】本発明のリハビリ補助椅子を車椅子に装着した状態を示す。
【図６】一般の車椅子を示す。
【実施例】
【００１１】
図１に本発明のリハビリ補助椅子のひじ掛け部の斜視図を、図２はリハビリ補助椅子の座面部の斜視図を示す。
図１において、１はひじ掛け部であり、車椅子のひじ掛け部に覆うように装着するひじ掛け当接面２と、ひじ掛け当接面２から下方に延びた下垂面３を備えている。ひじ掛け部１は車椅子の両側のひじ掛けに装着されるため、一対のひじ掛け部である。また、下垂面３の外面には突起４が設けられている。
【００１２】
図２において、座面部５は背もたれ部６を備え、座面部５の両側には袖壁部７が上方に延出形成されている。また、袖壁部７には複数個の孔８が設けられている。
【００１３】
図３は本発明のリハビリ補助椅子の上面図、図４は図３のリハビリ補助椅子のＡ−Ａ断面図を示す。これらの図において、前記突起４は前記孔８に挿入され、ひじ掛け部１が車椅子のひじ掛けに装着されたとき、座面部５がひじ掛け部１に支持されて、前記突起４を支点として座面部５が搖動可能となる。なお、前記孔８は複数個設けられており、リハビリ補助椅子に乗る人の状況に応じて突起４が挿入される孔８の位置を選択できる。
【００１４】
以上の本発明のリハビリ補助椅子は次のようにして使用する。
図５は本発明のリハビリ補助椅子を車椅子に装着した状態を示す。
図５において、一般の車椅子のひじ掛けにリハビリ補助椅子のひじ掛け当接面２を被せる様に固定する。座面部５が少し浮くようにひじ掛け当接面２の下垂面３に設けられた突起４を袖壁７に設けられた孔８にセットし前後に揺れ動くのを確認して、背もたれ部６が車椅子の背もたれから離れるようにひじ掛け当接面の位置を調整する。突起４が孔８で支持されるとリハビリ補助椅子は揺れ、突起４を孔８から外すことで揺れは止まる。座面部５を前方に移動してセットすると小柄な人でも身体を安定出来ることが可能な補助椅子である。車椅子の移動中の振動により補助椅子が前後して軽いリハビリ効果も期待でき血行障害を違和感無く取り除く事が出来る。こうした構造にすれば一般の車椅子を少ない費用負担でリハビリ効果も得られるように出来る。
【００１５】
〈産業上の利用可能性〉
体の不調時移動に欠かせない車椅子、体調の回復維持等に補助又自分の意思で上半身は多少のひねりやタイヤ駆動の為腕を動かす事が出来るが、下半身は特に動かす必要がない為足先や脚の血行障害の原因となる事が考えられる。リハビリ補助椅子は車椅子を移動するたび振動により軽く身体が動くことで体調管理の過程においてリハビリの準備がごく自然に出来る前向きな健康器具である。
【符号の説明】
【００１６】
１  ひじ掛け部
２  ひじ掛け当接面
３  下垂面
４  突起
５  座面部
６  背もたれ部
７  袖壁部
８  孔
【図１】
2018143262.tif 000003
【図２】
2018143262.tif 000004
【図３】
2018143262.tif 000005
【図４】
2018143262.tif 000006
【図５】
2018143262.tif 000007
【図６】
2018143262.tif 000008